(57)【要約】      （修正有）【課題】箸の耐久性を容易に向上させることができる箸を提供する。【解決手段】箸１は、天然の木地に合成樹脂の木固め剤が含浸されて木固めされた箸本体２に対し、その箸本体２の木固めされた木固め上に装飾４が施されている。そして、その装飾４を覆うように、箸本体２に透明な熱収縮チューブ３が密着して被せられている。この熱収縮チューブ３により、箸本体２は、その箸本体２に施された装飾４を含めて保護される。そして、箸本体２は、木固め剤が含浸されて木固めされており、熱収縮チューブ３が破損したり熱収縮チューブ３および装飾４が破損した場合であっても、前記木固めにより、その破損部分から箸本体２の木地に水が浸入するのを防ぐことができる。【選択図】図１
0003173132.tif 000002
【実用新案登録請求の範囲】
【請求項１】
天然の木地に合成樹脂の木固め剤が含浸されて木固めされた箸本体に対し、その箸本体の木固めされた木固め上に装飾が施され、かつ、その装飾を覆うように、前記箸本体に透明な熱収縮チューブが密着して被せられていることを特徴とする箸。
【請求項２】
前記箸本体は、箸先部に、本漆による漆付着部あるいは本漆を主体とする漆による漆付着部が形成され、箸先部を除く部分が、前記木固め剤により木固めされていることを特徴とする請求項１に記載の箸。
【請求項３】
前記木固め剤は、無色透明であって、
前記箸本体は、染料で染められたうえで前記木固め剤により木固めされていることを特徴とする請求項１または２に記載の箸。
【請求項４】
前記箸本体は、箸先部側に向かって先細に形成された先細形状部を有し、その先細形状部に前記熱収縮チューブが密着して被せられ、
前記熱収縮チューブは、箸頭部の端面に掛け止められる被掛止部を有することを特徴とする請求項１ないし３のいずれか１項に記載の箸。
【請求項５】
前記箸本体は、箸先部側に向かって先細に形成された先細形状部を有し、その先細形状部に前記熱収縮チューブが密着して被せられ、かつ、
前記箸本体は、その箸本体の周面を回る環状の凹部を有し、前記熱収縮チューブは、箸頭部側の端部に位置して前記凹部に掛け止められる被掛止部を有することを特徴とする請求項１ないし３のいずれか１項に記載の箸。
【請求項６】
前記箸本体は、その箸本体の周面を回る環状の凹部または凸部を有し、前記熱収縮チューブは、中間に位置して前記凹部または凸部に係合する係合部を有することを特徴とする請求項１ないし３のいずれか１項に記載の箸。
【請求項７】
前記熱収縮チューブは、合成樹脂フィルムからなることを特徴とする請求項１ないし６のいずれか１項に記載の箸。
【考案の詳細な説明】
【技術分野】
【０００１】
この考案は、装飾が施されて透明な熱収縮チューブが密着した箸に関するものである。
【背景技術】
【０００２】
従来、箸本体の表面に熱収縮チューブが密着した箸があった（例えば、特許文献１参照）。この箸は、箸本体に対し、熱収縮チューブの印刷のされていない透明部における内側にホログラム箔が貼り付けられ、これによって、熱収縮チューブと箸本体との間にホログラム箔の装飾が介在するものであった。
【先行技術文献】
【特許文献】
【０００３】
【特許文献１】特開平１０−１０８７７６号公報
【考案の概要】
【考案が解決しようとする課題】
【０００４】
ところで、前記従来の箸にあっては、箸本体が天然の木地からなる場合には、熱収縮チューブが破損したりすると、その破損部分から箸本体の木地に水が浸入し、箸の耐久性を損なう虞があった。
【０００５】
この考案は、上記した従来の欠点を解決するためになされたものであり、その目的とするところは、箸の耐久性を容易に向上させることができる箸を提供することにある。
【課題を解決するための手段】
【０００６】
この考案に係る箸は、前記目的を達成するために、次の構成からなる。すなわち、
請求項１に記載の考案に係る箸は、天然の木地に合成樹脂の木固め剤が含浸されて木固めされた箸本体に対し、その箸本体の木固めされた木固め上に装飾が施され、かつ、その装飾を覆うように、前記箸本体に透明な熱収縮チューブが密着して被せられている。
【０００７】
この箸によると、箸本体に透明な熱収縮チューブが密着して被せられているため、箸本体は、その箸本体に施された装飾を含めて保護される。そして、箸本体は、木固め剤が含浸されて木固めされており、熱収縮チューブが破損したり熱収縮チューブおよび装飾が破損した場合であっても、前記木固めにより、その破損部分から箸本体の木地に水が浸入するのを防ぐことができる。
【０００８】
また、請求項２に記載の考案に係る箸のように、請求項１に記載の箸において、前記箸本体は、箸先部に、本漆による漆付着部あるいは本漆を主体とする漆による漆付着部が形成され、箸先部を除く部分が、前記木固め剤により木固めされてもよい。
【０００９】
また、請求項３に記載の考案に係る箸のように、請求項１または２に記載の箸において、前記木固め剤は、無色透明であって、前記箸本体は、染料で染められたうえで前記木固め剤により木固めされてもよい。
【００１０】
また、請求項４に記載の考案に係る箸のように、請求項１ないし３のいずれか１項に記載の箸において、前記箸本体は、箸先部側に向かって先細に形成された先細形状部を有し、その先細形状部に前記熱収縮チューブが密着して被せられ、前記熱収縮チューブは、箸頭部の端面に掛け止められる被掛止部を有してもよい。こうして、箸本体の先細形状部に、熱収縮チューブが密着して被せられ、箸頭部の端面に、熱収縮チューブの被掛止部が掛け止められることで、熱収縮チューブは、箸本体の長手方向のずれが防止される。
【００１１】
また、請求項５に記載の考案に係る箸のように、請求項１ないし３のいずれか１項に記載の箸において、前記箸本体は、箸先部側に向かって先細に形成された先細形状部を有し、その先細形状部に前記熱収縮チューブが密着して被せられ、かつ、前記箸本体は、その箸本体の周面を回る環状の凹部を有し、前記熱収縮チューブは、箸頭部側の端部に位置して前記凹部に掛け止められる被掛止部を有してもよい。こうして、箸本体の先細形状部に、熱収縮チューブが密着して被せられ、箸本体の環状の凹部に、熱収縮チューブの箸頭部側の端部の被掛止部が掛け止められることで、熱収縮チューブは、箸本体の長手方向のずれが防止される。
【００１２】
また、請求項６に記載の考案に係る箸のように、請求項１ないし３のいずれか１項に記載の箸において、前記箸本体は、その箸本体の周面を回る環状の凹部または凸部を有し、前記熱収縮チューブは、中間に位置して前記凹部または凸部に係合する係合部を有してもよい。こうして、箸本体の環状の凹部または凸部に、熱収縮チューブの中間に位置する係合部が係合することで、熱収縮チューブは、箸本体の長手方向のずれが防止される。
【００１３】
また、請求項７に記載の考案に係る箸のように、請求項１ないし６のいずれか１項に記載の箸において、前記熱収縮チューブは、合成樹脂フィルムからなってもよい。
【考案の効果】
【００１４】
この考案に係る箸によれば、熱収縮チューブが破損したり熱収縮チューブおよび装飾が破損した場合であっても、箸本体の木固めにより、前記破損部分から箸本体の木地に水が浸入するのを防ぐことができ、箸の耐久性を容易に向上させることができる。
【図面の簡単な説明】
【００１５】
【図１】この考案の一実施の形態の、正面図である。
【図２】同じく、要部拡大図であって、（Ａ）は、平面図、（Ｂ）は、縦断面図である。
【図３】この考案の一実施の形態の第１の変形例を示す、要部拡大図であって、（Ａ）は、平面図、（Ｂ）は、縦断面図である。
【図４】この考案の一実施の形態の第２の変形例を示す、要部拡大縦断面図である。
【図５】この考案の他の実施の形態の、要部拡大縦断面図である。
【図６】この考案のさらに他の実施の形態の、要部拡大縦断面図である。
【図７】この考案のさらに他の実施の形態の、要部拡大縦断面図である。
【図８】この考案のさらに他の実施の形態の、要部拡大縦断面図である。
【考案を実施するための形態】
【００１６】
以下、この考案に係る箸を実施するための形態を図面に基づいて説明する。
【００１７】
図１および図２は、本考案の一実施の形態を示す。図中符号１は、箸を示す。２は、箸本体を示す。３は、熱収縮性を備えた筒体である熱収縮チューブを示す。
【００１８】
ここで、箸１は、木とか竹等からなる天然の木地８に、合成樹脂、例えば無色透明の合成樹脂の木固め剤が含浸されて木固めされた箸本体２に対し、その箸本体２の木固めされた木固め上に装飾４が施されている。そして、箸１は、その装飾４を覆うように、箸本体２に透明な熱収縮チューブ３が密着して被せられている。すなわち、箸１は、装飾４を覆うように、箸本体２に透明な熱収縮チューブ３が嵌められ、かつ、その熱収縮チューブ３が加熱によって収縮密着している。
【００１９】
そして、箸本体２は、箸先部６側に向かって先細に形成された先細形状部２ａを有し、その先細形状部２ａに熱収縮チューブ３が密着して被せられる。そこで、その先細形状部２ａと、熱収縮チューブ３における前記先細形状部２ａに密着する先細部分３ａとが、互いに係り合う係合手段５を構成する第１の係合手段５ａとなり、その第１の係合手段５ａにより、熱収縮チューブ３は、箸先部６側から箸頭部７側へと向かう方向のずれが規制される。また、熱収縮チューブ３は、箸頭部７の天頂面である端面７ａに掛け止められる被掛止部３ｂを有する。そこで、その被掛止部３ｂと箸頭部７の端面７ａとが、互いに係り合う係合手段５を構成する第２の係合手段５ｂとなり、その第２の係合手段５ｂにより、熱収縮チューブ３は、箸頭部７側から箸先部６側へと向かう方向のずれが規制される。
【００２０】
具体的には、箸本体２は、箸先部６に、本漆による漆付着部あるいは本漆を主体とする漆による漆付着部が形成され、箸先部６を除く部分９（端面７ａを含む）が、前記木固め剤により木固めされている。なお、前記漆付着部には、例えば、顔料とか、乾漆粉あるいはその他の天然素材の粉状物とかが混入されていてもよい。
【００２１】
また、箸本体２は、その全長が前記先細形状部２ａとなって、前記装飾４は、箸先部６を除くようにして（図示実施の形態においては、箸本体２の中央部から箸頭部７に渡って）施される。この装飾４は、例えば、絵、図、画像、記号、模様、文字あるいは色付け等からなり、図示実施の形態においては、装飾４として、雲の絵が描かれている。ここで、装飾４は、絵の具とかポスターカラー等の塗料を用いて描いたり、油性ペン等のペンを用いて描いたり、彫り込みによって描いてもよく、また、シールや写真や紙や布等、あるいは植物の葉等の天然の素材を張り付けたり巻き付けたりするものであってもよい。
【００２２】
そして、箸本体２は、箸先部６を除く部分９（端面７ａを含む）の所要部が、熱収縮チューブ３によって覆われる。この熱収縮チューブ３は、前述したように、装飾４を覆うように、箸本体２に密着して被せられているが、図示実施の形態においては、熱収縮チューブ３は、木固めした部分（図示実施の形態では、箸先部６を除く部分９）の下部側については覆っていない。そして、木固めした部分の上部側については、熱収縮チューブ３は、箸本体２の周面を覆うとともに箸頭部７の端面７ａを僅かに覆うように延びており、その端面７ａを覆う部分が、前記被掛止部３ｂとなる。つまり、熱収縮チューブ３は、両端が開放した筒状形状となっている。ここで、熱収縮チューブ３は、合成樹脂フィルムからなるが、合成樹脂フィルムよりも厚い合成樹脂シートからなっていてもよい。また、熱収縮チューブ３は、無色透明であるのが好ましいが、有色透明であってもよいし、部分的に模様、記号、文字、色付け等が施されたり描かれたりしていてもよい。
【００２３】
次に、以上の構成からなる箸１の作用効果について説明する。この箸１は、箸本体２に透明な熱収縮チューブ３が密着して被せられている。このため、箸本体２は、その箸本体２に施された装飾４を含めて保護される。そして、箸本体２は、木固め剤が含浸されて木固めされており、熱収縮チューブ３が破損したり熱収縮チューブ３および装飾４が破損した場合であっても、前記木固めにより、その破損部分から箸本体２の木地８に水が浸入するのを防ぐことができ、これによって、箸１の耐久性を容易に向上させることができる。
【００２４】
また、箸本体２が無色透明の合成樹脂の木固め剤により木固めされることで、木固めされた部分のうち装飾４が施されていない部分において、木地８の木目を活かしたままその木地８を保護することができる。
【００２５】
また、箸本体２の先細形状部２ａに、熱収縮チューブ３が密着して被せられ、箸頭部７の端面７ａに、熱収縮チューブ３の被掛止部３ｂが掛け止められることで、熱収縮チューブ３は、箸本体２の長手方向のずれが防止される。
【００２６】
ところで、箸本体２は、箸１の使用者（購入者）が、箸１に任意の装飾４を施したりすることが可能な、自分好みの箸を製作するための箸素材として用いることができる。すなわち、箸本体２の木固め上に、前記使用者（購入者）が、絵付け、彫り込み、張り付け、巻き付け等によって任意の装飾４を施すことができる。その後、この箸１は、箸１の製造者または販売者に一旦戻されるとともに、その製造者または販売者が、前記装飾４を覆うように、透明な熱収縮チューブ３を嵌めて、その熱収縮チューブ３を加熱によって収縮密着させる。ここで、熱収縮チューブ３による処理は、短時間で行うことができる。このため、熱収縮チューブ３を用いて装飾４を保護すれば、装飾４を覆うように透明な塗料を塗布する必要がなく、短納期で、使用者（購入者）に、その使用者（購入者）自身が装飾４を施した箸１を提供することができる。ここにおいて、熱収縮チューブ３による処理は、製造者または販売者ではなく、使用者（購入者）自身が行ってもよい。
【００２７】
なお、本考案は、上述した実施の形態に限定されるわけではなく、その他種々の変更が可能である。例えば、第２の係合手段５ｂにおいて、熱収縮チューブ３の被掛止部３ｂが、箸頭部７の端面７ａを僅かに覆うが、図３に示すように、箸頭部７の端面７ａを中心近くまで覆うようにしていもよいし、端面７ａ全体を覆うようにしてもよい。また、図４に示すように、箸頭部７が斜めにカットされて、そのカットされた箸頭部７の端面７ａを、熱収縮チューブ３の被掛止部３ｂが覆うようにしてもよい。
【００２８】
また、図５に示すように、箸本体２は、その箸本体２の周面を回る角環状（四角環状その他の多角環状）、円環状などの環状の凹部（つまり溝２ｂ）を有し、熱収縮チューブ３は、箸頭部７側の端部に位置して溝２ｂに掛け止められる被掛止部３ｂを有してもよい。そこで、その溝２ｂと、熱収縮チューブ３における前記被掛止部３ｂとが、互いに係り合う係合手段５を構成する第２の係合手段５ｂとなり、その第２の係合手段５ｂにより、熱収縮チューブ３は、箸頭部７側から箸先部６側へと向かう方向のずれが規制される。すなわち、箸本体２の先細形状部２ａに、熱収縮チューブ３が密着して被せられ、箸本体２の環状の溝２ｂに、熱収縮チューブ３の箸頭部７側の端部の被掛止部３ｂが掛け止められることで、熱収縮チューブ３は、箸本体２の長手方向のずれが防止される。
【００２９】
また、図６に示すように、箸本体２は、その箸本体２の周面を回る単数もしくは複数の（図示実施の形態においては、単数の）角環状（四角環状その他の多角環状）、円環状などの環状の凹部（つまり溝２ｂ）を有する場合において、熱収縮チューブ３は、中間に位置して溝２ｂに係合する係合部３ｃを有してもよい。そこで、その溝２ｂと、熱収縮チューブ３における前記係合部３ｃとが、互いに係り合う係合手段５を構成し、その係合手段５を構成する溝２ｂおよび係合部３ｃにより、熱収縮チューブ３は、箸本体２の長手方向の両方向のずれが規制される。すなわち、箸本体２の環状の溝２ｂに、熱収縮チューブ３の中間に位置する係合部３ｃが係合することで、熱収縮チューブ３は、箸本体２の長手方向のずれが防止される。
【００３０】
また、図７に示すように、箸本体２が、図６に示す環状の溝２ｂを有し、かつ、熱収縮チューブ３が、図２、図３あるいは図４に示す被掛止部３ｂ、つまり、箸頭部７の端面７ａに掛け止められる被掛止部を有してもよい。そこで、溝２ｂと、熱収縮チューブ３における中間に位置して溝２ｂに係合する係合部３ｃとが、前記係合手段５を構成する。そして、熱収縮チューブ３における被掛止部３ｂと、箸頭部７の端面７ａとが、前記係合手段５を構成する第２の係合手段５ｂとなる。
【００３１】
また、図８に示すように、箸本体２は、図６に示す環状の溝２ｂ（一方の溝２ｂ）に加えて、図５に示す環状の溝２ｂ（他方の溝２ｂ）を有してもよい。そこで、一方の溝２ｂと、熱収縮チューブ３における中間に位置して一方の溝２ｂに係合する係合部３ｃとが、前記係合手段５を構成する。そして、他方の溝２ｂと、熱収縮チューブ３における箸頭部７側の端部に位置して他方の溝２ｂに掛け止められる被掛止部３ｂとが、前記係合手段５を構成する第２の係合手段５ｂとなる。
【００３２】
また、図示を省略するが、箸本体２は、その箸本体２の周面を回る単数もしくは複数の角環状（四角環状その他の多角環状）、円環状などの環状の凸部を有し、熱収縮チューブ３は、中間に位置して前記凸部に係合する係合部を有してもよい。そこで、その凸部と、熱収縮チューブ３における前記係合部とが、互いに係り合う係合手段５を構成し、その係合手段５を構成する凸部および係合部により、熱収縮チューブ３は、箸本体２の長手方向の両方向のずれが規制される。すなわち、箸本体２の環状の凸部に、熱収縮チューブ３の中間に位置する係合部が係合することで、熱収縮チューブ３は、箸本体２の長手方向のずれが防止される。また、これら凸部および係合部に加えて、図７に示す例と同様に、熱収縮チューブ３が、図２、図３あるいは図４に示す被掛止部３ｂ、つまり、箸頭部７の端面７ａに掛け止められる被掛止部を有してもよいし、図８に示す例と同様に、箸本体２が、図５に示す環状の溝２ｂを有し、熱収縮チューブ３における箸頭部７側の端部に位置する被掛止部３ｂが、溝２ｂに掛け止められてもよい。
【００３３】
また、図７とか図８に示す例の他に、箸１には、前述した種々の係合手段５（第１および第２の係合手段５ａ、５ｂを含む）を重畳的に設けてもよいのは勿論である。
【００３４】
また、上述した係合手段５の有無にかかわらず、熱収縮チューブ３上とその熱収縮チューブ３から箸本体２に渡る部分に透明な塗料が塗布されてもよい（上述した各実施の形態の箸１にあっては、熱収縮チューブ３上とその熱収縮チューブ３から箸本体２に渡る部分に透明塗料等の塗料が塗布されることなく、その熱収縮チューブ３が表面に露出している。）。こうして、塗料が塗布されることでも、熱収縮チューブ３は、箸本体２の長手方向のずれが防止される。
【００３５】
また、箸本体２の木固めに用いられる合成樹脂の木固め剤は、無色透明の他、染料等により着色された有色透明のものでもよい。また、箸本体２は、染料で染められたうえで無色透明の合成樹脂の木固め剤により木固めされていてもよい。
【符号の説明】
【００３６】
１  箸
２  箸本体
２ａ  先細形状部
２ｂ  溝（凹部）
３  熱収縮チューブ
３ｂ  被掛止部
３ｃ  係合部
４  装飾
６  箸先部
７  箸頭部
７ａ  端面
８  木地
９  箸先部を除く部分
【図１】
0003173132.tif 000003
【図２】
0003173132.tif 000004
【図３】
0003173132.tif 000005
【図４】
0003173132.tif 000006
【図５】
0003173132.tif 000007
【図６】
0003173132.tif 000008
【図７】
0003173132.tif 000009
【図８】
0003173132.tif 000010
【手続補正書】
【提出日】平成23年11月15日(2011.11.15)
【手続補正１】
【補正対象書類名】明細書
【補正対象項目名】００１３
【補正方法】変更
【補正の内容】
【００１３】
また、請求項７に記載の考案に係る箸のように、請求項１ないし６のいずれか１項に記載の箸において、前記熱収縮チューブは、合成樹脂フィルムまたは合成樹脂シートからなってもよい。
【手続補正２】
【補正対象書類名】実用新案登録請求の範囲
【補正対象項目名】請求項７
【補正方法】変更
【補正の内容】
【請求項７】
前記熱収縮チューブは、合成樹脂フィルムまたは合成樹脂シートからなることを特徴とする請求項１ないし６のいずれか１項に記載の箸。